(57)【要約】【課題】本発明は、外部からの見栄えをよくすると共に締結部材の部品費及び組立工数を削減することができる車両用灯具の製造方法を提供する。【解決手段】レンズ２と、レンズ２を保持するハウジング１と、レンズ２とハウジング１で形成される内部空間に設けられるランプベゼル３とを接合する車両用灯具の製造方法であって、レンズ２とハウジング１の当接面、及びレンズ２とランプベゼル３の当接面へ一のレーザ光源から出射するレーザ光を同時に照射して、レンズ２、ハウジング１及びランプベゼル３を一体的に接合する。【選択図】    図２
2004273210.tif 000002
【特許請求の範囲】
【請求項１】
レンズと、該レンズを保持するハウジングと、前記レンズと前記ハウジングで形成される内部空間に設けられる灯具内部部材とを接合する車両用灯具の製造方法であって、
前記レンズと前記ハウジングの当接面、及び前記レンズ又は前記ハウジングと前記灯具内部部材の当接面へ一のレーザ光源から出射するレーザ光を同時に照射して、前記レンズ、前記ハウジング及び前記灯具内部部材を一体的に接合することを特徴とする車両用灯具の製造方法。
【発明の詳細な説明】
【０００１】
【発明の属する技術分野】
本発明は、レンズと、レンズを保持するハウジングと、レンズとハウジングで形成される内部空間に設けられる灯具内部部材と、を接合する車両用灯具の製造方法に関する。
【０００２】
【従来の技術】
従来より、レンズと、レンズを保持するハウジングと、をレーザ溶着によって接合する車両用灯具の製造方法が知られている（例えば、特許文献１参照）。この車両用灯具の製造方法は、レンズに形成された脚部の先端面とハウジングに形成された受け面との当接面にレーサ光を照射することによってレーザ溶着をしてレンズとハウジングを接合するものである。このようなレーザ溶着によるレンズとハウジングの接合を採用することによって、レンズとハウジングの接合面の両側にバリをほとんど発生させることがなくレンズとハウジングを接合することができる。従って、レンズとハウジングの接合面周辺の外観品質を高めることができる。
【０００３】
【特許文献１】
特開２００１−２４３８１１号公報
【０００４】
【発明が解決しようとする課題】
しかしながら、上述の従来技術では、レーザ溶着によって接合するのはレンズとハウジングのみであって、ハウジング及び光源バルブの構成部品等が外部から露見されないようにハウジング前部に設けられるランプベゼル、インナーレンズ及びリフレクタ等の灯具内部部材については、レンズ又はハウジングへ締結部材によって取り付けている。このため、レンズは透明であるので外部から締結部材が露見されて見栄えがよくなく、また、締結部材の部品費及び組立工数が嵩むという問題点がある。
【０００５】
本発明は、このような状況を鑑みてなされたもので、外部からの見栄えをよくすると共に締結部材の部品費及び組立工数を削減することができる車両用灯具の製造方法を提供することを目的とする。
【０００６】
【課題を解決するための手段】
前述の課題を解決するため、本発明に係る車両用灯具の製造方法は、次のような手段を採用する。
【０００７】
即ち、請求項１記載の発明は、レンズと、該レンズを保持するハウジングと、前記レンズと前記ハウジングで形成される内部空間に設けられる灯具内部部材とを接合する車両用灯具の製造方法であって、前記レンズと前記ハウジングの当接面、及び前記レンズ又は前記ハウジングと前記灯具内部部材の当接面へ一のレーザ光源から出射するレーザ光を同時に照射して、前記レンズ、前記ハウジング及び前記灯具内部部材を一体的に接合することを特徴とする。
【０００８】
請求項１記載の発明によれば、レンズとハウジングの当接面、及びレンズ又はハウジングと灯具内部部材の当接面へ一のレーザ光源から出射するレーザ光を同時に照射することによって、レンズ、ハウジング及び灯具内部部材が一体的に接合される。これによって、灯具内部部材をレンズ又はハウジングへ取り付ける締結部材を削減することができて、外部からの見栄えがよくなると共に締結部材の部品費及び組立工数を削減することができる。
【０００９】
【発明の実施の形態】
以下、本発明に係る車両用灯具の製造方法の実施の形態を図面に基づいて説明する。
【００１０】
図１及び図２は、本発明に係る車両用灯具の製造方法の実施形態を説明するものである。
【００１１】
図１は、本実施形態に係る車両用灯具の側断面図である。図２は、図１におけるＡ部の拡大図である。本実施形態に係る車両用灯具は、ハウジング１と、レンズ２と、ランプベゼル３、光源バルブ４から概略構成されている。
【００１２】
ハウジング１は、前面を開口して内部空間を有するように形成されている。ハウジング１の後面には、光源バルブ４を挿着するための孔が設けられている。ハウジング１の前端面は、例えば、内側から外側に向けて内側が前方となるようにテーパ状に形成される。ハウジング１の材質としては、レーザ光を吸収して溶融するものであればよく、例えば、樹脂であるＡＢＳ（アクリロニトリル・ブタジエン・スチレンポリマー）が用いられる。ハウジング１は、レンズ２を保持すると共に、車体に固定される。
【００１３】
レンズ２は、ハウジング１の前面を覆うように形成されている。レンズ２の端面は、例えば、ハウジング１の前端面と合致して当接するように、内側から外側に向けて内側が前方となるようにテーパ状に形成される。レンズ２の材質としては、透明であってレーザ光を透過するものであればよく、例えば、樹脂であるＰＣ（ポリカーボネート）が用いられる。
【００１４】
ランプベゼル３は、ハウジング１及び光源バルブ４の構成部品等が外部から露見されないようにするためのものであって、ハウジング１とレンズ２が接合された場合に形成される内部空間でハウジング１前部に設けられている。ランプベゼル３は、外側端面がレンズ２の端部内面と当接するように形成されている。ランプベゼル３の中央部には、光源バルブ４が挿通する孔が形成されている。ランプベゼル３の材質としては、レーザ光を吸収して溶融するものであればよく、例えば、樹脂であるアクリルが用いられる。
【００１５】
次に、本実施形態に係る車両用灯具の製造方法について説明する。
【００１６】
最初に、ハウジング１の前端面とレンズ２の端面、及びレンズ２の端部内面とランプベゼル３の外側端面が当接するように、ハウジング１、レンズ２及びランプベゼル３を位置決めする。
【００１７】
次いで、ハウジング１の前端面とレンズ２の端面の当接面１ａ、及びレンズ２の端部内面とランプベゼル３の外側端面の当接面３ａへ一のレーザ光源から出射されるレーザ光を同時に照射する。レーザ光は、ハウジング１の前端面とレンズ２の端面の当接面１ａ、及びレンズ２の端部内面とランプベゼル３の外側端面の当接面３ａへレンズ２側から斜めに照射される。尚、レーザ光としては、例えば、半導体レーザが用いられる。また、レーザ光のスポット径（Ｗ）は、例えば、φ２ｍｍ乃至φ５ｍｍである。
【００１８】
レーザ光は、レンズ２を透過してハウジング１の前端面とレンズ２の端面の当接面１ａ、及びレンズ２の端部内面とランプベゼル３の外側端面の当接面３ａへ照射される。これによって、当接面１ａのハウジング１及び当接面３ａのランプベゼル３が溶融して、ハウジング１とレンズ２及びランプベゼル３とレンズ２が溶着され、ハウジング１、レンズ２及びランプベゼルが一体的に接合される。
【００１９】
尚、ランプベゼル３の代わりに又は同時にインナーレンズ、リフレクタ、レンズカバー等の灯具内部部材をレンズ２へレーザ溶着してもよい。
【００２０】
本実施形態に係る車両用灯具の製造方法によれば、ランプベゼル３はハウジング１とレンズ２がレーザ溶着によって接合される際に同時にレンズ２にレーザ溶着によって接合されるため、ランプベゼル３をハウジング１又はレンズ２へ取り付ける締結部材を削除することができて、外部からの見栄えがよくなると共に締結部材の部品費及び組立工数を削減することができる。
【００２１】
また、レーザ溶着されるハウジング１の前端面とレンズ２の端面の当接面１ａ、及びレンズ２の端部内面とランプベゼル３の外側端面の当接面３ａを近接又はハウジング１へランプベゼル３が若しくはランプベゼル３へハウジング１がオーバーラップするように設けた場合には、レーザ光によって溶融されたハウジング１とランプベゼル３が溶着するため、より強固にハウジング１、レンズ２及びランプベゼル３を一体的に接合することができる。
【００２２】
尚、本実施形態においては、ランプベゼル３が特許請求の範囲に記載した「灯具内部部材」に相当している。
【００２３】
尚、本実施形態においては、ランプベゼル３等の灯具内部部材をレンズ２へレーザ溶着することとしているが、ランプベゼル３等の灯具内部部材をハウジング１へレーザ溶着できるようにハウジング１、レンズ２及びランプベゼル３等の灯具内部部材を構成して、ハウジング１の前端面とレンズ２の端面の当接面、及びハウジング１の前端部内面とランプベゼル３等の灯具内部部材の外側端面の当接面へ一のレーザ光源から出射されるレーザ光を同時に照射し、ハウジング１、レンズ２及びランプベゼル３等の灯具内部部材を一体的に接合するようにしてもよい。
【００２４】
また、ハウジング１、ランプベゼル３、及びインナーレンズ、レフレクタ、レンズカバー等の灯具内部部材を一のレーザ光源から出射されるレーザ光によって一体的に同時にレーザ溶着できるように構成して接合するようにしてもよい。
【００２５】
【発明の効果】
以上のように、請求項１記載の発明によれば、灯具内部部材をレンズ又はハウジングへ取り付ける締結部材を削減することができて、外部からの見栄えがよくなると共に締結部材の部品費及び組立工数を削減することができる。
【図面の簡単な説明】
【図１】本発明の実施形態に係る車両用灯具の側断面図である。
【図２】図１におけるＡ部の拡大図である。
【符号の説明】
１  ハウジング
２  レンズ
３  ランプベゼル
【図１】
2004273210.tif 000003
【図２】
2004273210.tif 000004